(57)【要約】【課題】録音品質が低下することを防止することができる音声録音再生装置、表示方法およびプログラムを提供する。【解決手段】音声録音再生装置１は、収音軸に対して角度を変更可能な左右対称のマイク２１，２２と、画像を表示可能な表示部３５と、収音軸に対するマイク２１，２２の角度変位を検出する検出部３３と、検出部３３が検出した角度変位に基づいて、音声記録再生装置１の集音指向性パターンを表示部３５に表示させる表示制御部３８１と、を備える。【選択図】図６
2017041827.tif 000002
【特許請求の範囲】
【請求項１】
収音軸角度を変更可能であり、左右の集音を可能にした指向性内蔵マイクを備えた音声記録装置であって、
画像を表示可能な表示部と、
前記指向性内蔵マイクの収音軸に対する前記指向性内蔵マイクの角度変位を検出する検出部と、
前記検出部が検出した前記角度変位に基づいて、当該音声記録再生装置の集音指向性パターンを前記表示部に表示させる表示制御部と、
を備えたことを特徴とする音声記録再生装置。
【請求項２】
前記表示制御部は、当該音声記録再生装置が録音を開始する前に、前記指向性内蔵マイクの収音軸と該収音軸角度０°とを一致させた左右対称の前記指向性パターンを前記表示部に表示させることを特徴とする請求項１に記載の音声記録再生装置。
【請求項３】
前記表示制御部は、前記検出部が検出する前記角度変位に応じて、前記集音指向性パターン０°角度軸を変更して前記表示部に表示させることを特徴とする請求項１または２に記載の音声記録再生装置。
【請求項４】
前記表示制御部は、前記指向性内蔵マイクの収音の強弱に関する情報を前記指向性パターンに重畳して前記表示部に表示させることを特徴とする請求項１〜３のいずれか一つに記載の音声記録再生装置。
【請求項５】
当該音声記録再生装置から前記収音軸の方向に位置する音源の距離を測距する測距部をさらに備え、
前記表示制御部は、前記測距部が測距した前記距離に応じた前記指向性パターンの位置に前記音源が位置することを示す音源情報を重畳して前記表示部に表示させることを特徴とする請求項１〜４のいずれか一つに記載の音声記録再生装置。
【請求項６】
収音軸角度を変更可能であり、左右の集音を可能にした指向性内蔵マイクと、各種情報を表示可能な表示部と、を備えた音声記録再生装置が実行する表示方法であって、
前記指向性内蔵マイクの収音軸に対する前記指向性内蔵マイクの角度変位を検出する検出ステップと、
前記検出ステップにおいて検出した前記角度変位に基づいて、当該音声記録再生装置の集音指向性パターンを前記表示部に表示させる表示制御ステップと、
を含むことを特徴とする表示方法。
【請求項７】
収音軸角度を変更可能であり、左右の集音を可能にした指向性内蔵マイクと、各種情報を表示可能な表示部と、を備えた音声記録再生装置に、
前記指向性内蔵マイクの収音軸に対する前記指向性内蔵マイクの角度変位を検出する検出ステップと、
前記検出ステップにおいて検出した前記角度変位に基づいて、当該音声記録再生装置の集音指向性パターンを前記表示部に表示させる表示制御ステップと、
を実行させることを特徴とするプログラム。
【発明の詳細な説明】
【技術分野】
【０００１】
本発明は、音声データを記録または音声データを再生する音声記録再生装置、表示方法およびプログラムに関する。
【背景技術】
【０００２】
近年、打合せ時等の音声を記録（録音）および再生する携帯型の音声記録再生装置（以下、「ＩＣレコーダ」という）が実用化されている。このようなＩＣレコーダには、ステレオマイクと呼称される左右一対の単一指向性マイクが設けられている。この単一指向性マイクのステレオ感の善し悪しは、音源に対向する各マイクの収音軸の角度に依存する。例えば、複数音源が左右に位置するような録音シーンでは、ステレオ感を損なわないように各音源を均一レベルで録音することが重要になる。例えば、特許文献１には、ステレオ録音時の中抜け現象を防止するため、左右の単一指向性マイクの収音軸を内側に交差させることによって、この収音軸の交差範囲内に位置する音源の感度落ちを軽減する技術が開示されている。
【先行技術文献】
【特許文献】
【０００３】
【特許文献１】特開２０１０−２１６６７号公報
【発明の概要】
【発明が解決しようとする課題】
【０００４】
しかしながら、上述した特許文献１の技術では、ユーザが自身の聴覚に基づいて、マイクのセッティングを行っているため、セッティングの曖昧さが残ることで、ユーザが所望する音源をイメージした通りに録音することができず、録音品質が低下するという問題点があった。
【０００５】
本発明は、上記に鑑みてなされたものであって、録音品質が低下することを防止することができる音声録音再生装置、表示方法およびプログラムを提供することを目的とする。
【課題を解決するための手段】
【０００６】
上述した課題を解決し、目的を達成するために、本発明に係る音声録音再生装置は、収音軸角度を変更可能であり、左右の集音を可能にした指向性内蔵マイクを備えた音声記録装置であって、画像を表示可能な表示部と、前記指向性内蔵マイクの収音軸に対する前記指向性内蔵マイクの角度変位を検出する検出部と、前記検出部が検出した前記角度変位に基づいて、当該音声記録再生装置の集音指向性パターンを前記表示部に表示させる表示制御部と、を備えたことを特徴とする。
【０００７】
また、本発明に係る表示方法は、収音軸角度を変更可能であり、左右の集音を可能にした指向性内蔵マイクと、各種情報を表示可能な表示部と、を備えた音声記録再生装置が実行する表示方法であって、前記指向性内蔵マイクの収音軸に対する前記指向性内蔵マイクの角度変位を検出する検出ステップと、前記検出ステップにおいて検出した前記角度変位に基づいて、当該音声記録再生装置の集音指向性パターンを前記表示部に表示させる表示制御ステップと、を含むことを特徴とする。
【０００８】
また、本発明に係るプログラムは、収音軸角度を変更可能であり、左右の集音を可能にした指向性内蔵マイクと、各種情報を表示可能な表示部と、を備えた音声記録再生装置に、前記指向性内蔵マイクの収音軸に対する前記指向性内蔵マイクの角度変位を検出する検出ステップと、前記検出ステップにおいて検出した前記角度変位に基づいて、当該音声記録再生装置の集音指向性パターンを前記表示部に表示させる表示制御ステップと、を実行させることを特徴とする。
【発明の効果】
【０００９】
本発明によれば、録音品質が低下することを防止することができるという効果を奏する。
【図面の簡単な説明】
【００１０】
【図１】図１は、本発明の実施の形態１に係るＩＣレコーダの概略構成を示す正面図である。
【図２】図２は、本発明の実施の形態１に係るＩＣレコーダの概略構成を示す背面図である。
【図３】図３は、本発明の実施の形態１に係るＩＣレコーダの概略構成を示す上面図である。
【図４】図４は、本発明の実施の形態１に係るＩＣレコーダの概略構成を示す側面図である。
【図５Ａ】図５Ａは、本発明の実施の形態１に係るＩＣレコーダの収音軸が０°に調整された状態を示す図である。
【図５Ｂ】図５Ｂは、本発明の実施の形態１に係るＩＣレコーダの収音軸が９０°に調整された状態を示す図である。
【図５Ｃ】図５Ｃは、本発明の実施の形態１に係るＩＣレコーダの収音軸が１８０°に調整された状態を示す図である。
【図６】図６は、本発明の実施の形態１に係るＩＣレコーダの機能構成を示すブロック図である。
【図７】図７は、本発明の実施の形態１に係るＩＣレコーダが実行する動作の処理を示すフローチャートである。
【図８】図８は、本発明の実施の形態１に係るＩＣレコーダが実行する録音処理の概要を示すフローチャートである。
【図９】図９は、本発明の実施の形態１に係るＩＣレコーダが実行する録音動作処理の概要を示すフローチャートである。
【図１０】図１０は、本発明の実施の形態１に係るＩＣレコーダが実行する指向性パターン生成処理の概要を示すフローチャートである。
【図１１】図１１は、本発明の実施の形態１に係るＩＣレコーダの表示制御部が表示部に表示させる集音指向性パターンの一例を示す図である。
【図１２Ａ】図１２Ａは、本発明の実施の形態１に係るＩＣレコーダの収音軸角度０°前方に点音源があるときの指向性パターン（０°）の一例を示す図である。
【図１２Ｂ】図１２Ｂは、本発明の実施の形態１に係るＩＣレコーダの収音軸角度０°前方に点音源があるときの指向性パターン（９０°）の一例を示す図である。
【図１２Ｃ】図１２Ｃは、本発明の実施の形態１に係るＩＣレコーダの収音軸角度０°前方に点音源があるときの指向性パターン（１８０°）の一例を示す図である。
【図１３】図１３は、本発明の実施の形態１の変形例に係るＩＣレコーダが実行する指向性パターン生成処理の概要を示すフローチャートである。
【図１４】図１４は、本発明の実施の形態２に係るＩＣレコーダの概略構成を示す上面図である。
【図１５】図１５は、本発明の実施の形態２に係るＩＣレコーダの機能構成を示すブロック図である。
【図１６】図１６は、本発明の実施の形態２に係るＩＣレコーダが実行する指向性パターン生成処理の概要を示すフローチャートである。
【図１７】図１７は、本発明の実施の形態２に係るＩＣレコーダの表示制御部が表示する指向性パターンの一例を示す図である。
【発明を実施するための形態】
【００１１】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。即ち、本発明は、各図で例示された形状、大きさ、および位置関係のみに限定されるものではない。さらに、以下の説明では、音声記録再生装置の例としてＩＣレコーダを説明する。
【００１２】
（実施の形態１）
〔ＩＣレコーダの構成〕
図１は、本発明の実施の形態１に係るＩＣレコーダの概略構成を示す正面図である。図２は、本発明の実施の形態１に係るＩＣレコーダの概略構成を示す背面図である。図３は、本発明の実施の形態１に係るＩＣレコーダの概略構成を示す上面図である。図４は、本発明の実施の形態１に係るＩＣレコーダの概略構成を示す側面図である。
【００１３】
図１〜図４に示すＩＣレコーダ１は、本体部２の上面に、左右対称形状のマイクケース３およびマイクケース４が配設されてなる。また、ＩＣレコーダ１は、本体部２の側面に、マイクジャック５およびイヤフォンジャック６が配設されてなる。さらに、ＩＣレコーダ１は、本体部２の正面に、表示部７、録音スイッチ８（ＲＥＣスイッチ）、再生スイッチ９（ＯＫスイッチ）、早送りスイッチ１０（ＦＦスイッチ）、早戻しスイッチ１１（ＲＥＷスイッチ）、停止スイッチ１２（ＳＴＯＰスイッチ）、メニュースイッチ１３（ＭＥＮＵスイッチ）、消去スイッチ１４（ＥＲＡＳＥスイッチ）、マイナススイッチ１５（−スイッチ）およびプラススイッチ１６（＋スイッチ）が配設されてなる。さらにまた、ＩＣレコーダ１は、背面に指向性内蔵マイクの収音軸の角度を切り替える収音軸角度調整レバー１７が配設されてなる。
【００１４】
マイクケース３およびマイクケース４は、本体部２の上面に配設されてなる。マイクケース３およびマイクケース４の各々は、後述する指向性のマイクが配設されてなる。マイクケース３およびマイクケース４は、概後端に収音軸と垂直に交わる回転軸（図示せず）が設けられており、この回転軸を中心に左右に回転することによって収音軸の角度を任意に調整することができる。ここで、収音軸とは、後述する指向性のマイクの最も感度が高い方向である。
【００１５】
マイクジャック５は、外部マイクのプラグが挿入される。マイクジャック５は、外部マイクから出力されるアナログの音声信号の入力を受け付ける。
イヤフォンジャック６は、外部イヤフォンのプラグが挿入される。イヤフォンジャック６は、ＩＣレコーダ１に録音されたアナログの音声信号を外部イヤフォンに出力する。
【００１６】
表示部７は、ＩＣレコーダ１に関する各種情報を表示する。表示部７は、液晶や有機ＥＬ（Electro  Luminescence）等の表示パネルを用いて構成される。
【００１７】
録音スイッチ８は、ＩＣレコーダ１に音声の録音を指示する指示信号の入力を受け付ける。
再生スイッチ９は、ＩＣレコーダ１に録音された音声の再生を指示する指示信号の入力を受け付ける。
早送りスイッチ１０は、ＩＣレコーダ１が再生中の音声の早送りを指示する指示信号の入力を受け付ける。
早戻しスイッチ１１は、ＩＣレコーダ１が再生中の音声の早戻しを指示する指示信号の入力を受け付ける。
停止スイッチ１２は、ＩＣレコーダ１の録音動作または再生動作の停止を指示する指示信号の入力を受け付ける。
メニュースイッチ１３は、ＩＣレコーダ１に関するメニューを表示部７に表示させる指示信号の入力を受け付ける。
消去スイッチ１４は、ＩＣレコーダ１が記憶する音声データを削除する指示信号の入力を受け付ける。
マイナススイッチ１５は、ＩＣレコーダ１が再生する音声の音量を下げる指示信号の入力を受け付ける。
プラススイッチ１６は、ＩＣレコーダ１が再生する音声の音量を上げる指示信号の入力を受け付ける。
【００１８】
収音軸角度調整レバー１７は、マイクケース３およびマイクケース４の角度を調整する。収音軸角度調整レバー１７は、上下方向（０°〜１８０°）に移動可能に設けられ、ユーザによる操作に応じてマイクケース３およびマイクケース４を回転させる。具体的には、図５Ａに示すように、収音軸角度調整レバー１７は、ユーザによって収音軸角度調整レバー１７が０°の位置にスライドされた場合、マイクケース３およびマイクケース４を収音軸角度０°の位置に調整する。また、図５Ｂに示すように、収音軸角度調整レバー１７は、ユーザによって収音軸角度調整レバー１７が９０°の位置にスライドされた場合、マイクケース３およびマイクケース４を収音軸角度９０°の位置に調整する。さらに、図５Ｃに示すように、収音軸角度調整レバー１７は、ユーザによって収音軸角度調整レバー１７が１８０°の位置にスライドされた場合、マイクケース３およびマイクケース４を収音軸角度１８０°の位置に調整する。なお、本実施の形態１では、収音軸角度調整レバー１７は、手動によってマイクケース３およびマイクケース４の収音軸の角度を調整していたが、モータ等の駆動機構を組み込むことによって電動式の角度調整機構としてもよい。さらに、本実施の形態１では、マイクケース３およびマイクケース４の収音軸の角度が所定の間隔であったが、これに限定されることなく、例えばリニアに変更することが可能な構成としてもよい。
【００１９】
次に、図６を用いて、ＩＣレコーダ１の機能構成について説明する。図６は、ＩＣレコーダ１の機能構成を示すブロック図である。
【００２０】
図６に示すＩＣレコーダ１は、マイク２１（ＭＩＣ−Ｌ）と、マイク２２（ＭＩＣ−Ｒ）と、変位センサ２３（ＳＮＳ−Ｌ）と、変位センサ２４（ＳＮＳ−Ｒ）と、マイクアンプ部２５（以下、「ＡＭＰ部２５」という）と、ローパスフィルタ部２６（以下、「ＬＰＦ部２６」という）と、Ａ／Ｄ変換部２７（以下、「ＡＤＣ部２７」という）と、信号処理部２８と、Ｄ／Ａ変換部２９（以下、「ＤＡＣ部２９」という）と、ローパスフィルタ部３０（以下、「ＬＰＦ部３０」という）と、パワーアンプ３１（以下、「ＡＭＰ部３１」という）と、スピーカ３２と、検出部３３、操作部３４、表示部３５と、バッファメモリ３６と、記憶部３７と、制御部３８と、を備える。
【００２１】
マイク２１は、音声を入力してアナログの音声信号（電気信号）に変換し、この音声信号をＡＭＰ部２５へ出力する。マイク２１は、上述したマイクケース３に収納される。なお、本実施の形態１では、マイク２１を指向性マイクとして説明するが、これに限らず、単一指向性マイクであってもよく、さらに指向性を変更可能なマイクを用いてもよい。さらに、マイク２１およびマイク２２は、左右の集音することが可能であり、左右対称であってもよい。なお、以下においては、説明を簡略化するため、マイク２１およびマイク２２を左右対称のものを説明するが、レイアウトの自由度を確保するため、これに限定されるわけではない。
【００２２】
マイク２２は、マイク２１と同様に、音声を入力してアナログの音声信号（電気信号）に変換し、この音声信号をＡＭＰ部２５へ出力する。マイク２２は、上述したマイクケース４に収納される。
【００２３】
変位センサ２３は、マイクケース３の回転に連動可能に配設されてなる。変位センサ２３は、マイクケース３の変位量（回転量）を検出し、この検出結果を検出部３３へ出力する。変位センサ２３は、フォトインタラプタやリニアエンコーダ等を用いて構成される。
【００２４】
変位センサ２４は、変位センサ２３と同様に、マイクケース４の回転に連動可能に配設されてなる。変位センサ２４は、マイクケース４の変位量（回転量）を検出し、この検出結果を検出部３３へ出力する。
【００２５】
ＡＭＰ部２５は、マイク２１およびマイク２２の各々から出力される音声信号を所定のレベルまで増幅してＬＰＦ部２６へ出力する。
【００２６】
ＬＰＦ部２６は、ＡＭＰ部２５から出力された音声信号に対して、不要な周波数帯域をカットしてＡＤＣ部２７へ出力する。
【００２７】
ＡＤＣ部２７は、ＬＰＦ部２６から出力された音声信号に対して、Ａ／Ｄ変換を行うことによって、デジタルの音声信号（量子化データ）に変換し、この音声信号を信号処理部２８へ出力する。
【００２８】
信号処理部２８は、ＡＤＣ部２７から出力された音声信号をフレーム単位で所定の符号化フォーマットの音声データに符号化（圧縮化）し、バッファメモリ３６に一時的に記憶する。信号処理部２８は、録音時に、上述した符号化とバッファメモリ３６への音声データとの記憶動作を連続的に行い、バッファメモリ３６に記憶した音声データをＦＩＦＯ（First  In  First  Out）の手順で記憶部３７に順次記憶する。また、信号処理部２８は、再生時に、記憶部３７からバッファメモリ３６にＦＩＦＯの手順で音声データを順次読み出し、フレーム単位で所定の符号化フォーマットのデジタルの音声信号に復号化（伸長化）し、ＤＡＣ部２９へ出力する。
【００２９】
ＤＡＣ部２９は、信号処理部２８から出力されたデジタルの音声信号に対して、Ｄ／Ａ変換を行うことによって、アナログの音声信号に変換し、この音声信号をＬＰＦ部３０へ出力する。
【００３０】
ＬＰＦ部３０は、ＤＡＣ部２９から出力されたアナログの音声信号に対して、不要な周波数帯域をカットしてＡＭＰ部３１へ出力する。
【００３１】
ＡＭＰ部３１は、ＬＰＦ部３０から出力されたアナログの音声信号を所定のレベルまで増幅してスピーカ３２へ出力する。
【００３２】
スピーカ３２は、ＡＭＰ部３１から出力された音声信号を出力する。スピーカ３２は、ＩＣレコーダ１の背面（図２を参照）に設けられたスピーカ孔（図示せず）の直下に設けられてなる。
【００３３】
検出部３３は、変位センサ２３および変位センサ２４の各々が検出した角度変位量に基づいて、マイク２１およびマイク２２の収音軸の角度変位を検出し、この検出結果を制御部３８へ出力する。
【００３４】
操作部３４は、上述した録音スイッチ８、再生スイッチ９、早送りスイッチ１０、早戻しスイッチ１１、停止スイッチ１２、メニュースイッチ１３、消去スイッチ１４、マイナススイッチ１５、プラススイッチ１６、収音軸角度調整レバー１７等の各種スイッチを有する。
【００３５】
表示部３５は、制御部３８の制御のもと、ＩＣレコーダ１に関する各種情報を表示する。表示部３５は、操作部３４を構成する各種スイッチのいずれかの操作により、所定のシーケンスが開始したときの動作モードやこの動作モードの動作状況を表示する。例えば、表示部３５は、録音スイッチ８が押下された場合、録音の経過時間、録音可能な残り時間、およびファイルナンバー等を表示する。また、表示部３５は、メニュースイッチ１３が押下された場合、マイク感度（高／低）、録音モード（標準／ロング）およびアラーム（オン／オフ）等の機能選択に関連した表示を行う。さらに、表示部３５は、後述する制御部３８が時計機能を有している場合、現在の日時の表示を行う。
【００３６】
バッファメモリ３６は、ＩＣレコーダ１の処理中の各種情報を一時的に記憶する。バッファメモリ３６は、ＤＲＡＭ（Dynamic  Random  Access  Memory）等を用いて構成される。
【００３７】
記憶部３７は、音声データを記憶する。記憶部３７は、不揮発性の半導体メモリ、例えばＦｌａｓｈメモリやメモリカードを用いて構成される。
【００３８】
制御部３８は、ＩＣレコーダ１を構成する各構成部の動作やデータの転送等を統括的に制御する。制御部３８は、ＣＰＵ（Central  Processing  Unit）等を用いて構成される。制御部３８は、表示制御部３８１を有する。
【００３９】
表示制御部３８１は、検出部３３によって角度変位に基づいて、ＩＣレコーダの集音指向性パターンを表示部３５に表示させる。具体的には、表示制御部３８１は、ＩＣレコーダ１が録音を開始する前に、マイク２１およびマイク２２の収音軸と、この収音軸角度０°とを一致させた左右対称の指向性パターンを表示部３５に表示させる。
【００４０】
このように構成されたＩＣレコーダ１は、制御部３８の制御のもと、録音スイッチ８が押下された場合、音声の録音の記録を開始し、再度、録音スイッチ８が押下された場合、音声の録音の記録を停止する。
【００４１】
〔ＩＣレコーダの動作〕
次に、ＩＣレコーダ１が実行する動作について説明する。図７は、ＩＣレコーダ１が実行する動作の処理を示すフローチャートである。
【００４２】
ＩＣレコーダ１の電源がオン状態になると、制御部３８は、所定の初期設定を実行するとともに（ステップＳ１０１）、タイマをスタートさせる（ステップＳ１０２）。このタイマは、所定時間（例えば全ての操作が無くなってから１〜１０秒）経過後にＩＣレコーダ１が通常の動作モードから待機モード（低消費電流モード）に入るための時間を計時する。
【００４３】
続いて、ユーザが録音スイッチ８を操作することにより、録音スイッチ８がオン状態である場合（ステップＳ１０３：Ｙｅｓ）、ＩＣレコーダ１は、音声を録音する録音処理を実行する（ステップＳ１０４）。この場合、制御部３８は、表示部３５に録音処理開始初期であることを示す情報を表示させることによって、ＩＣレコーダ１が録音待機から録音動作状態であることをユーザに告知する。この状態において、ユーザは、本体部２の上面のマイクケース３およびマイクケース４を図示しない口述者等の録音対象（音源）に向けることによって、音声等の口述を確実に記録することができる。また、ユーザは、図示しない外部マイクを使用する場合、外部マイクのプラグを本体部２のマイクジャック５（図４を参照）に挿入すればよい。この場合、制御部３８は、マイク２１およびマイク２２から外部マイクに切り替えて、外部マイクからの音声を記録する。なお、録音処理の詳細は、後述する。ステップＳ１０４の後、ＩＣレコーダ１は、後述するステップＳ１１７へ移行する。
【００４４】
ステップＳ１０３において、録音スイッチ８がオン状態でない場合（ステップＳ１０３：Ｎｏ）、ＩＣレコーダ１は、ステップＳ１０５へ移行する。
【００４５】
続いて、ユーザが再生スイッチ９を操作することにより、再生スイッチ９がオン状態である場合（ステップＳ１０５：Ｙｅｓ）、ＩＣレコーダ１は、記憶部３７に記憶された音声データを再生する再生処理を実行する（ステップＳ１０６）。この場合、制御部３８は、スピーカ３２に音声を出力させることによって、本体部２の背面のスピーカ孔（図示せず）から発音させる。また、制御部３８は、図示しないワイヤー式ヘッドフォンのプラグがイヤフォンジャック６に挿入されている場合、記憶部３７に記憶された音声データをワイヤー式ヘッドフォンによって発音させる。ステップＳ１０６の後、ＩＣレコーダ１は、後述するステップＳ１１７へ移行する。
【００４６】
ステップＳ１０５において、再生スイッチ９がオン状態でない場合（ステップＳ１０５：Ｎｏ）、ＩＣレコーダ１は、ステップＳ１０７へ移行する。
【００４７】
続いて、ユーザが早送りスイッチ１０を操作することにより、早送りスイッチ１０がオン状態である場合（ステップＳ１０７：Ｙｅｓ）、ＩＣレコーダ１は、再生中の音声データの早送りを行う早送り処理を実行する（ステップＳ１０８）。ステップＳ１０８の後、ＩＣレコーダ１は、後述するステップＳ１１７へ移行する。
【００４８】
ステップＳ１０７において、早送りスイッチ１０がオン状態でない場合（ステップＳ１０７：Ｎｏ）、ＩＣレコーダ１は、ステップＳ１０９へ移行する。
【００４９】
続いて、ユーザが早戻しスイッチ１１を操作することにより、早戻しスイッチ１１がオン状態である場合（ステップＳ１０９：Ｙｅｓ）、ＩＣレコーダ１は、再生中の音声データの早戻しを行う早戻し処理を実行する（ステップＳ１１０）。ステップＳ１１０の後、ＩＣレコーダ１は、後述するステップＳ１１７へ移行する。
【００５０】
ステップＳ１０９において、早戻しスイッチ１１がオン状態でない場合（ステップＳ１０９：Ｎｏ）、ＩＣレコーダ１は、ステップＳ１１１へ移行する。
【００５１】
続いて、ユーザが停止スイッチ１２を操作することにより、停止スイッチ１２がオン状態である場合（ステップＳ１１１：Ｙｅｓ）、ＩＣレコーダ１は、録音動作または再生動作を停止する停止処理を実行する（ステップＳ１１２）。ステップＳ１１２の後、ＩＣレコーダ１は、後述するステップＳ１１７へ移行する。
【００５２】
ステップＳ１１１において、停止スイッチ１２がオン状態でない場合（ステップＳ１１１：Ｎｏ）、ＩＣレコーダ１は、ステップＳ１１３へ移行する。
【００５３】
続いて、ユーザがメニュースイッチ１３を操作することにより、メニュースイッチ１３がオン状態である場合（ステップＳ１１３：Ｙｅｓ）、ＩＣレコーダ１は、ＩＣレコーダ１に関する各種のメニューを変更するメニュー変更処理を実行する（ステップＳ１１４）。ステップＳ１１４の後、ＩＣレコーダ１は、後述するステップＳ１１７へ移行する。
【００５４】
ステップＳ１１３において、メニュースイッチ１３がオン状態でない場合（ステップＳ１１３：Ｎｏ）、ＩＣレコーダ１は、ステップＳ１１５へ移行する。
【００５５】
続いて、ユーザが消去スイッチ１４を操作することにより、消去スイッチ１４がオン状態である場合（ステップＳ１１５：Ｙｅｓ）、ＩＣレコーダ１は、記憶部３７に記憶された音声データを削除する削除処理を実行する（ステップＳ１１６）。ステップＳ１１６の後、ＩＣレコーダ１は、後述するステップＳ１１７へ移行する。
【００５６】
ステップＳ１１５において、消去スイッチ１４がオン状態でない場合（ステップＳ１１５：Ｎｏ）、ＩＣレコーダ１は、後述するステップＳ１１８へ移行する。
【００５７】
ステップＳ１１７において、制御部３８は、上述したタイマを再スタートさせる。ステップＳ１１７の後、ＩＣレコーダ１は、上述したステップＳ１０３へ戻る。
【００５８】
ステップＳ１１８において、上述したタイマの計時時間が所定時間を超えている場合（ステップＳ１１８：Ｙｅｓ）、後述するステップＳ１１９へ移行する。これに対して、上述したタイマの計時時間が所定時間を超えていない場合（ステップＳ１１８：Ｎｏ）、ＩＣレコーダ１は、上述したステップＳ１０３へ戻る。
【００５９】
ステップＳ１１９において、ＩＣレコーダ１は、待機モードに遷移し、本処理を終了する。
【００６０】
〔録音処理の概要〕
次に、上述した図７のステップＳ１０４の録音処理の詳細について説明する。図８は、録音処理の概要を示すフローチャートである。
【００６１】
図８に示すように、まず、制御部３８は、ＩＣレコーダ１を録音待機状態に遷移させるとともに、ＩＣレコーダ１が録音待機状態であることを示す情報（例えばアイコン）を表示部３５に表示させる（ステップＳ２０１）。この場合、制御部３８は、図示しないＬＥＤ（Light  Emitting  Diode）を点滅させてもよい。
【００６２】
続いて、メニュー設定で指向性パターンの生成が設定されている場合（ステップＳ２０２：Ｙｅｓ）、ＩＣレコーダ１は、指向性パターンを生成する指向性パターン生成処理を実行する（ステップＳ２０３）。なお、指向性パターン生成処理の詳細は、後述する。ステップＳ２０３の後、ＩＣレコーダ１は、後述するステップＳ２０４へ移行する。
【００６３】
ステップＳ２０２において、メニュー設定で指向性パターンの生成が設定されていない場合（ステップＳ２０２：Ｎｏ）、ＩＣレコーダ１は、ステップＳ２０４へ移行する。
【００６４】
続いて、ユーザが録音スイッチ８を操作することにより、録音スイッチ８がオン状態である場合（ステップＳ２０４：Ｙｅｓ）、ＩＣレコーダ１は、音声を録音する録音動作処理を実行する（ステップＳ２０５）。なお、録音動作処理の詳細は、後述する。ステップＳ２０５の後、ＩＣレコーダ１は、上述した図７のメインルーチンへ戻る。
【００６５】
ステップＳ２０４において、録音スイッチ８がオン状態でない場合（ステップＳ２０４：Ｎｏ）、ＩＣレコーダ１は、ステップＳ２０６へ移行する。
【００６６】
続いて、停止スイッチ１２がオン状態である場合（ステップＳ２０６：Ｙｅｓ）、ＩＣレコーダ１は、図７のメインルーチンへ戻る。これに対して、停止スイッチ１２がオン状態でない場合（ステップＳ２０６：Ｎｏ）、ＩＣレコーダ１は、上述したステップＳ２０４へ戻る。
【００６７】
〔録音動作処理の概要〕
次に、上述した図８におけるステップＳ２０５の録音動作処理の詳細について説明する。図９は、録音動作処理の概要を示すフローチャートである。
【００６８】
図９に示すように、まず、制御部３８は、録音開始時の各種情報を記憶部３７のインデックス情報領域に記憶する（ステップＳ３０１）。ここで、録音開始時の各種情報とは、マイク感度（高／低）、録音モード（標準／ロング）、ファイルナンバー、および音声データを記憶する音声データ記憶領域開始アドレス等である。
【００６９】
続いて、制御部３８は、マイク２１およびマイク２２の各々に音声を入力させ（ステップＳ３０２）、マイク２１およびマイク２２の各々から出力されたアナログの音声信号に対して、所定のサンプリング周波数に同期したＡＤＣ部２７によって量子化（Ａ／Ｄ変換）させる（ステップＳ３０３）。この量子化された音声データは、信号処理部２８による符号化に用いられる。
【００７０】
その後、制御部３８は、ＡＤＣ部２７によって量子化された音声データを信号処理部２８によって符号化させる（ステップＳ３０４）。この場合、信号処理部２８は、フレーム単位で符号化を行う。
【００７１】
続いて、バッファメモリ３６に記憶された音声データが所定フレーム数になった場合（ステップＳ３０５：Ｙｅｓ）、制御部３８は、バッファメモリ３６に記憶された音声データを記憶部３７の図示しない音声データ記憶領域開始アドレスから順に書き込むことによって記憶させる（ステップＳ３０６）。ここで、所定フレームは、例えば１０ビット／フレームの音声信号を４ビット／フレームまで符号化した音声データを記憶部３７へ５１２バイト単位で書き込む場合、所定フレーム数が１０２４となる。ステップＳ３０６の後、ＩＣレコーダ１は、後述するステップＳ３０７へ移行する。
【００７２】
ステップＳ３０５において、バッファメモリ３６に記憶された音声データが所定フレーム数になっていない場合（ステップＳ３０５：Ｎｏ）、ＩＣレコーダ１は、上述したステップＳ３０２へ戻り、音声データが所定フレーム数になるまで連続的にステップＳ３０２〜ステップＳ３０４の処理を行う。
【００７３】
ステップＳ３０７において、停止スイッチ１２がオン状態になった場合（ステップＳ３０７：Ｙｅｓ）、ＩＣレコーダ１は、後述するステップＳ３０８へ移行する。これに対して、停止スイッチ１２がオン状態になっていない場合（ステップＳ３０７：Ｎｏ）、ＩＣレコーダ１は、上述したステップＳ３０２へ戻り、上述したステップＳ３０２〜ステップＳ３０６の処理を繰り返す。
【００７４】
ステップＳ３０８において、制御部３８は、録音終了時の各種情報を記憶部３７のインデックス情報領域に記録する。ステップＳ３０８の後、ＩＣレコーダ１は、図８の録音処理へ戻る。
【００７５】
〔指向性パターン生成処理の概要〕
次に、図８の録音処理におけるステップＳ２０３で説明した指向性パターン生成処理の詳細について説明する。図１０は、指向性パターン生成処理の概要を示すフローチャートである。
【００７６】
図１０に示すように、検出部３３は、収音軸角度調整レバー１７の操作角に応じた変位センサ２３および変位センサ２４の各々の出力値の変化を検出する（ステップＳ４０１）。
【００７７】
検出部３３によって検出された収音軸角度調整レバー１７の操作角に応じた変位センサ２３および変位センサ２４の各々の出力値（角度）が変化していると制御部３８が判断した場合（ステップＳ４０２：Ｙｅｓ）、ＩＣレコーダ１は、後述するステップＳ４０３へ移行する。これに対して、検出部３３によって検出された収音軸角度調整レバー１７の操作角に応じた変位センサ２３および変位センサ２４の各々の出力値が変化していないと制御部３８が判断した場合（ステップＳ４０２：Ｎｏ）、ＩＣレコーダ１は、上述したステップＳ４０１へ戻り、収音軸の角度が変化するまで、ステップＳ４０１およびステップＳ４０２の処理を繰り返す。
【００７８】
ステップＳ４０３において、制御部３８は、その振角方向の音源をマイク２１およびマイク２２の各々に収音させる。
【００７９】
続いて、収音軸の全角度（０°〜１８０°）を検出したと制御部３８が判断した場合（ステップＳ４０４：Ｙｅｓ）、ＩＣレコーダ１は、後述するステップＳ４０５へ移行する。具体的には、制御部３８は、１５°毎に収音軸の全角度、即ち、１２方向の音源を収音することができたか否かを判断する。これに対して、収音軸の全角度（０°〜１８０°）を検出していないと制御部３８が判断した場合（ステップＳ４０４：Ｎｏ）、ＩＣレコーダ１は、ステップＳ４０１へ戻る。
【００８０】
その後、表示制御部３８１は、ＩＣレコーダ１の集音指向性パターンを表示部３５に表示させる（ステップＳ４０５）。ステップＳ４０５の後、ＩＣレコーダ１は、図８の録音処理へ戻る。
【００８１】
図１１は、表示制御部３８１が表示部３５に表示させる集音指向性パターンの一例を示す図である。図１２Ａ〜図１２Ｃは、ＩＣレコーダ１の収音軸角度０°前方に点音源があるときの各指向性パターン（０°、９０°および１８０°）の一例を示す図である。
【００８２】
図１１に示すように、表示制御部３８１は、１５°毎に収音した音源の強弱レベルの指向性パターンに関する画像Ｐ１を表示部３５の表示領域８０に表示させる。この場合、表示制御部３８１は、指向性パターンの生成処理中であることを示すアイコン９３を表示部３５の表示領域８０に表示させてもよい。これにより、ユーザに対して、ＩＣレコーダ１が指向性パターンの生成処理中であることを直感的に把握させることができる。また、画像Ｐ１には、マイク２１およびマイク２２の各々に相当するマイクアイコン８６およびマイクアイコン８５が含まれる。さらに、画像Ｐ１には、マイクアイコン８６およびマイクアイコン８５を中心に、等間隔の目盛り（−２５〜５ｄＢ）を付与した同心円８４が含まれており、指向性パターン８３が表現する音源の強弱レベルを直感的に把握しやすくしている。直線８１は、マイク２１およびマイク２２の各々の収音軸角度（図１２Ａ〜図１２Ｃを参照）を表す。さらにまた、画像Ｐ１には、表示領域８０の略右上方に角度アイコン８２が含まれる。また、画像Ｐ１には、囲み枠８７内に、録音経過時間９２、録音可能時間９０、録音モード８９、フォルダナンバー８８、および録音アイコン９１の各種アイコンが含まれる。なお、録音アイコン９１は、録音帯域と録音動作中とを区別するために、録音待機中では点滅表示され、録音動作中では点灯表示されてもよい。また、表示制御部３８１は、ＩＣレコーダ１が録音を開始する前に、マイク２１およびマイク２２の各々の収音軸と、この収音軸角度０°とを一致させた左右対称の指向性パターンを表示部３５に表示させてもよい。
【００８３】
以上説明した本発明の実施の形態１によれば、表示制御部３８１が検出部３３によって検出された角度変位に基づいて、ＩＣレコーダ１の集音指向性パターンを表示部３５に表示させるので、録音品質が低下することを防止することができるという効果を奏する。
【００８４】
また、本発明の実施の形態１によれば、表示制御部３８１が検出部３３によって検出された角度変位に基づいて、マイク２１およびマイク２２の集音指向性パターンを表示部３５に表示させるので、ステレオ録音時に起きやすい中抜け現像を指向性パターン上に表示する収音の強弱レベルを把握させることができる。これにより、ユーザは、聴覚だけに頼った経験や勘およびそのときかぎりの試行錯誤を軽減することができるので、ＩＣレコーダ１のセッティングの正確に行うことができる。
【００８５】
（実施の形態１の変形例）
次に、本発明の実施の形態１の変形例について説明する。本実施の形態１の変形例は、上述した実施の形態１に係るＩＣレコーダ１と同様の構成を有し、ＩＣレコーダ１が実行する指向性パターン生成処理が異なる。以下においては、本実施の形態１の変形例に係るＩＣレコーダが実行する指向性パターン生成処理について説明する。なお、上述した実施の形態１に係るＩＣレコーダ１と同一の構成には同一の符号を付して説明を省略する。
【００８６】
〔指向性パターン生成処理〕
図１３は、本実施の形態１の変形例に係るＩＣレコーダ１が実行する指向性パターン生成処理の概要を示すフローチャートである。
【００８７】
図１３において、ステップＳ５０１〜ステップＳ５０３は、上述した図１０のステップＳ４０１〜ステップＳ４０３それぞれに対応する。
【００８８】
ステップＳ５０４において、表示制御部３８１は、現在の指向性パターンを表示部３５に表示させる。例えば、表示制御部３８１は、収音軸角度０°前方に点音源がある場合において、マイク２１およびマイク２２の各々の収音軸角度が９０°の場合、上述した図１２Ｂの指向性パターンに関する画像Ｐ２を表示部３５に表示させる。これにより、ユーザは、マイク２１およびマイク２２の各々の収音軸角度に対する現在の指向性パターンを直感的に把握することができる。
【００８９】
続いて、収音軸の全角度（０°〜１８０°）を検出したと制御部３８が判断した場合（ステップＳ５０５：Ｙｅｓ）、ＩＣレコーダ１は、後述するステップＳ５０６へ移行する。これに対して、収音軸の全角度（０°〜１８０°）を検出していないと制御部３８が判断した場合（ステップＳ５０５：Ｎｏ）、ＩＣレコーダ１は、ステップＳ５０１へ戻る。
【００９０】
ステップＳ５０６において、表示制御部３８１は、ＩＣレコーダ１のベストな集音指向性パターンを表示部３５に表示させる。例えば、表示制御部３８１は、収音軸角度０°前方に点音源がある場合において、マイク２１およびマイク２２の各々の収音軸角度が９０°の場合、上述した図１１の指向性パターンに関する画像Ｐ１をベストな指向性パターンとして表示部３５に表示させる。これにより、ユーザは、ＩＣレコーダ１によるベストな指向性パターンを直感的に把握することができる。ステップＳ５０６の後、図８の録音処理へ戻る。
【００９１】
以上説明した本発明の実施の形態１の変形例によれば、表示制御部３８１が検出部３３によって検出された変位角度に基づいて、ＩＣレコーダ１の集音指向性パターンを表示部３５に表示させるので、録音品質が低下することを防止することができる。
【００９２】
さらに、本発明の実施の形態１の変形例によれば、表示制御部３８１が検出部３３によって変位角度が変わる毎に、マイク２１およびマイク２２の集音指向性パターンを表示部３５に変更して表示させるので、マイク２１およびマイク２２の各々の収音軸角度に対する現在の指向性パターンを直感的に把握することができる。
【００９３】
（実施の形態２）
次に、本発明の実施の形態２について説明する。本実施の形態２は、上述した実施の形態１に係るＩＣレコーダ１と構成が異なるうえ、指向性パターン生成処理が異なる。具体的には、本実施の形態２では、音源の位置を合わせて指向性パターンを表示する。以下においては、本実施の形態２に係るＩＣレコーダの構成を説明後、本実施の形態２に係るＩＣレコーダが実行する指向性パターン生成処理について説明する。なお、上述した実施の形態１に係るＩＣレコーダ１の構成と同一の構成には同一の符号を付して説明を省略する。
【００９４】
〔ＩＣレコーダの構成〕
図１４は、本発明の実施の形態２のＩＣレコーダの概略構成を示す上面図である。図１５は、本発明の実施の形態２のＩＣレコーダの機能構成を示すブロック図である。図１４および図１５に示すＩＣレコーダ１ａは、上述した実施の形態１に係るＩＣレコーダ１の構成に加えて、測距部３９を備える。
【００９５】
測距部３９は、測距用センサ窓６０の直下に、収音軸角度０°が中央に位置するように配設されてなる。測距部３９は、赤外センサ等を用いて実現され、各収音軸方向の音源距離を測定する。例えば、測距部３９は、指向性パターンを生成する場合において、１５°毎に収音軸の全角度を検出するとき、１３方向の各々の音源距離を測定する。
【００９６】
〔指向性パターン生成処理〕
図１６は、ＩＣレコーダ１ａが実行する指向性パターン生成処理の概要を示すフローチャートである。図１６において、ステップＳ６０１〜ステップＳ６０３は、上述した図１０のステップ４０１〜ステップＳ４０３それぞれに対応する。
【００９７】
ステップＳ６０４において、測距部３９は、振角方向の音源距離を測定する。例えば、測距部３９は、１５°毎に収音軸の全角度を検出するとき、１３方向の各々の音源距離を測定する。
【００９８】
続いて、収音軸の全角度（０°〜１８０°）を検出したと制御部３８が判断した場合（ステップＳ６０５：Ｙｅｓ）、ＩＣレコーダ１ａは、後述するステップＳ６０６へ移行する。これに対して、収音軸の全角度（０°〜１８０°）を検出していないと制御部３８が判断した場合（ステップＳ６０５：Ｎｏ）、ＩＣレコーダ１ａは、ステップＳ６０１へ戻る。
【００９９】
ステップＳ６０６において、表示制御部３８１は、指向性パターンに、測距部３９が測定した各方向の音源に関する距離情報を重畳して表示部３５に表示させる。具体的には、図１５に示す場合、測距部３９は、基準位置としての収音軸角度０°の左右に合計４つの音源Ｃｌａ１、音源Ｃｌａ２、音源ＦＬおよび音源Ｏｂの各々が右収音軸概角度７５°の距離ｄ１、右収音軸概角度６０°の距離ｄ２、左収音軸概角度３０°の距離ｄ３、左収音軸角度概６０°の距離ｄ４に位置しているとき、図１７に示す指向性パターンに関する画像Ｐ１０を表示部３５に表示させる。画像Ｐ１０には、指向性パターン上の左右収音軸概角度位置に、測距部３９が測定した音源および距離の各々に対応する音源Ｃｌａ１.ｄ１アイコン９４、音源Ｃｌａ２.ｄ２アイコン９５、音源ＦＬ.ｄ３アイコン９６、音源Ｏｂ.ｄ４アイコン９７が含まれる。もちろん、アイコンに換えて、大まかな距離間をイメージし易いように絵や図形で表示してもよい。また、表示制御部３８１は、指向性パターンにおいて、音源の中抜け等がおきている場合、または音源の距離が離れすぎていることにより、収音レベルが低い音源の場合、音源Ｃｌａ１.ｄ１アイコン９４、音源Ｃｌａ２.ｄ２アイコン９５を点滅させたり、ポップアップさせたりすることにより、強調表示してもよい。さらにまた、上述した音源のように音源名称が予め判明している場合、左右収音軸概角度位置毎に音源の名称をメニュー設定できるようにしてもよい。もちろん、自動的に音源からの音声データに基づいて、制御部３８が判定するようにしてもよい。
【０１００】
以上説明した本発明の実施の形態２によれば、表示制御部３８１が測距部３９によって測距された距離に応じたＩＣレコーダ１ａの集音指向性パターンの位置に音源が位置することを示す音源情報を重畳して表示部３５に表示させるので、音源の位置と距離と併せて、マイク２１およびマイク２２の各々の収音軸角度に対する現在の指向性パターンを直感的に把握することができる。この結果、ユーザは、ＩＣレコーダ１ａのセッティングをより正確に行うことができる。これによって、対象音源の音を確実にバランスよく取得して、ステレオ感や実在感、臨場感、サラウンド感にすぐれた高品質の録音が可能となる。
【０１０１】
（その他の実施の形態）
本発明は上述した実施の形態に限定されるものではなく、本発明の要旨の範囲内で種々の変形や応用が可能なことは勿論である。例えば、本発明の説明に用いたＩＣレコーダ以外にも、撮像装置、携帯電話やスマートフォンにおける撮像素子を備えた携帯機器、ビデオカメラ、内視鏡、監視カメラ、顕微鏡のような光学機器を通して被写体を撮影する撮像装置等、音声を記録可能ないずれの機器にも適用できる。
【０１０２】
また、本発明では、左右対称の指向性マイクを例に説明したが、左右の真ん中を集音するマイク等を設け、各マイクの設定された指向性もトータルで加味した機器の集音指向性パターンを表示してもよい。もちろん、マイクの数は、２本に限定されることなく、単数または複数（例えば３本以上）であってもよい。
【０１０３】
また、本明細書において、前述の各動作フローチャートの説明において、便宜上「まず」、「次に」、「続いて」、「その後」等を用いて動作を説明しているが、この順で動作を実施することが必須であることを意味するものではない。
【０１０４】
また、上述した実施の形態におけるＩＣレコーダによる各処理の手法、即ち、各フローチャートに示す処理は、いずれもＣＰＵ等の制御部に実行させることができるプログラムとして記憶させておくこともできる。この他、メモリカード（ＲＯＭカード、ＲＡＭカード等）、磁気ディスク（フロッピーディスク（登録商標）、ハードディスク等）、光ディスク（ＣＤ−ＲＯＭ、ＤＶＤ等）、半導体メモリ等の外部記憶装置の記憶媒体に格納して配布することができる。そして、ＣＰＵ等の制御部は、この外部記憶装置の記憶媒体に記憶されたプログラムを読み込み、この読み込んだプログラムによって動作が制御されることにより、上述した処理を実行することができる。
【０１０５】
また、本発明は、上述した実施の形態および変形例そのままに限定されるものではなく、実施段階では、発明の要旨を逸脱しない範囲内で構成要素を変形して具体化することができる。また、上述した実施の形態に開示されている複数の構成要素を適宜組み合わせることによって、種々の発明を形成することができる。例えば、上述した実施の形態および変形例に記載した全構成要素からいくつかの構成要素を削除してもよい。さらに、各実施の形態および変形例で説明した構成要素を適宜組み合わせてもよい。
【０１０６】
また、明細書または図面において、少なくとも一度、より広義または同義な異なる用語とともに記載された用語は、明細書または図面のいかなる箇所においても、その異なる用語に置き換えることができる。このように、発明の主旨を逸脱しない範囲内において種々の変形や応用が可能である。
【符号の説明】
【０１０７】
１，１ａ・・・ＩＣレコーダ；２・・・本体部；３，４・・・マイクケース；５・・・マイクジャック；６・・・イヤフォンジャック；７・・・表示部；８・・・録音スイッチ；９・・・再生スイッチ；１０・・・早送りスイッチ；１１・・・早戻しスイッチ；１２・・・停止スイッチ；１３・・・メニュースイッチ；１４・・・消去スイッチ；１５・・・マイナススイッチ；１６・・・プラススイッチ；１７・・・収音軸角度調整レバー；２１，２２・・・マイク；２３，２４・・・変位センサ；２５・・・ＡＭＰ部；２６・・・ＬＰＦ部；２７・・・ＡＤＣ部；２８・・・信号処理部；２９・・・ＤＡＣ部；３０・・・ＬＰＦ部；３１・・・ＡＭＰ部；３２・・・スピーカ；３３・・・検出部；３４・・・操作部；３５・・・表示部；３６・・・バッファメモリ；３７・・・記憶部；３８・・・制御部；３９・・・測距部；６０・・・測距用センサ窓；８０・・・表示領域；８１・・・直線；８２・・・角度アイコン；８３・・・指向性パターン；８４・・・同心円；８５，８６・・・マイクアイコン；８７・・・枠；８８・・・フォルダナンバー；８９・・・録音モード；９０・・・録音可能時間；９１・・・録音アイコン；９２・・・録音経過時間；９３・・・アイコン；９４・・・ｄ１アイコン；９５・・・ｄ２アイコン；９６・・・ｄ３アイコン；９７・・・ｄ４アイコン；３８１・・・表示制御部
【図１】
2017041827.tif 000003
【図２】
2017041827.tif 000004
【図３】
2017041827.tif 000005
【図４】
2017041827.tif 000006
【図５Ａ】
2017041827.tif 000007
【図５Ｂ】
2017041827.tif 000008
【図５Ｃ】
2017041827.tif 000009
【図６】
2017041827.tif 000010
【図７】
2017041827.tif 000011
【図８】
2017041827.tif 000012
【図９】
2017041827.tif 000013
【図１０】
2017041827.tif 000014
【図１１】
2017041827.tif 000015
【図１２Ａ】
2017041827.tif 000016
【図１２Ｂ】
2017041827.tif 000017
【図１２Ｃ】
2017041827.tif 000018
【図１３】
2017041827.tif 000019
【図１４】
2017041827.tif 000020
【図１５】
2017041827.tif 000021
【図１６】
2017041827.tif 000022
【図１７】
2017041827.tif 000023